(57)【特許請求の範囲】
【請求項１】
自ウィッグが頭部に装着されると、ウィッグベースの第一の領域と第二の領域とを連結する弾性体が伸長して前記第一の領域と前記第二の領域との少なくともそれぞれの一部分を互いに離間する方向へ移動させ、前記弾性体の収縮力に基づく前記第一の領域と前記第二の領域との少なくともそれぞれの一部分が互いに近接する方向へ移動しようとする作用により、毛髪が牽引されることに伴い前記毛髪が生えている部分の皮膚が牽引されて、顔及び首を含む前記頭部のしわやたるみを補整する補整機能付きウィッグ。
【請求項２】
自ウィッグが頭部に装着されると、ウィッグベース本体の第一の領域と第二の領域とを連結する弾性体が伸長して前記第一の領域と前記第二の領域との少なくともそれぞれの一部分を互いに離間する方向へ移動させ、前記弾性体の収縮力に基づく前記第一の領域と前記第二の領域との少なくともそれぞれの一部分が互いに近接する方向へ移動しようとする作用により、毛髪が牽引されることに伴い前記毛髪が生えている部分の皮膚が牽引されて、顔及び首を含む前記頭部のしわやたるみを補整する補整機能付きウィッグ。
【請求項３】
自ウィッグが頭部に装着されると、ウィッグベース本体の所定の領域を形成する弾性体が伸長した状態となり、前記弾性体の収縮力に基づき、毛髪が牽引されることに伴い前記毛髪が生えている部分の皮膚が牽引されて、顔及び首を含む前記頭部のしわやたるみを補整する補整機能付きウィッグ。
【発明の詳細な説明】
【技術分野】
【０００１】
本発明は、顔や首などのしわやたるみなどをリフトアップしたり伸張することで補整する補整機能付きウィッグに関する。
【背景技術】
【０００２】
顔や首などの皮膚は加齢とともにハリや弾力を失って老化し、しわやたるみが増えてくる。特に、中高年の女性にはしわやたるみにより外見が変化することに関心が高いため化粧を施して目立たなくさせようとするが、大きなしわやたるみは隠すことが困難である。
【０００３】
このようなしわを除去して目立たなくさせるためには、外科的な美容整形治療法で顔の皮膚を引っ張り上げる（フェイスリフト）方法や、皮膚にレーザーエネルギーを照射して細胞を活性化させてしわを消失させる器具が知られているが、安全性に関する心理的不安や費用が高額であるという問題点があった。
【０００４】
また、たるみを改善又は解消して目立たなくさせるためには、重力の影響を受けて現れるたるみを、栄養クリームを塗布して指先でマッサージを施したり、顔面の体操を行うことが知られている。さらに、たるみを根本的に改善又は解消するためのヒアルロン酸やコラーゲンの注入、光を用いた治療も知られている。
【０００５】
また、フェイスリフト（フェイスリフトアップ）の一手法として毛髪を束ねて束ねた部分にひもを巻き付けて縛った部分をゴムバンド等で牽引するものがある。しかし、この手法は毛髪の結束部がずれて緩んだり外れたりして効果が半減したり、露出部分の外観の体裁が良くないという問題点があった。
【０００６】
そこで、ウィッグ（かつら）を利用して顔や首などのしわやたるみなどをリフトアップしたり伸張することで補整する技術が求められてきた。この関連技術として、ウィッグ（かつら）のキャップネット裏面の両端にくし状固定具を設けた伸縮体（丸ゴム又は平ゴム及び伸縮性の強いネット）を取付けて、両方のこめかみ部分の自髪にくし状固定具を篏合させて固定し、くし状固定具を伸縮体が相互に曳き合う力を利用して目尻のシワ、弛み部位の皮膚を伸ばし矯正するウィッグ（かつら）の技術が提案されている（特許文献１参照）。
【先行技術文献】
【特許文献】
【０００７】
【特許文献１】実用新案登録第３１６３２４０号公報
【発明の概要】
【発明が解決しようとする課題】
【０００８】
上記の特許文献１に開示されている技術は、顔や首などのしわやたるみなどをリフトアップしたり伸張することで補整するために、両方のこめかみ部分の自髪に専用のくし状固定具を篏合させて固定して毛髪を牽引する方法であり、長時間の使用により牽引されている毛髪の毛根部にダメージを与えたり、痛みや不快感を覚えることがあるという問題点があった。また、利用者はかつらを頭部に装着するという動作の他に、まったく別個の動作である両方のこめかみ部分の自髪にくし状固定具を篏合させるという動作が必要であり手間がかかり煩雑であるという問題点もあった。
本発明は、メーカーならではの高い技術力に基づき、試行錯誤により到達できた高い水準にあり、個人のアイデアレベルでは実現できない、製品としての現実性・完成度を誇るものである。
【０００９】
本発明の目的は、しわやたるみなどの補整専用のくし状固定具などを必要としなく、取扱いが簡易な補整機能付きウィッグを提供することにある。
【課題を解決するための手段】
【００１０】
本発明の第一の補整機能付きウィッグは、自ウィッグが頭部に装着されると、ウィッグベースの第一の領域と第二の領域とを連結する弾性体が伸長して第一の領域と第二の領域との少なくともそれぞれの一部分を互いに離間する方向へ移動させ、弾性体の収縮力に基づく第一の領域と第二の領域との少なくともそれぞれの一部分が互いに近接する方向へ移動しようとする作用により、毛髪が牽引されることに伴い前記毛髪が生えている部分の皮膚が牽引されて、顔及び首を含む頭部のしわやたるみを補整する。
このような構成により、しわやたるみなどの補整専用のくし状固定具などを必要としなく、両方のこめかみ部分の自髪にくし状固定具を篏合させて固定して毛髪を牽引する方法であり、長時間の使用により牽引されているくし状固定具が篏合されている毛髪の毛根部に痛みや不快感を覚えることから解放され、快適な使用が実現される。また、利用者はウィッグを頭部に装着するという動作に加えてまったく別個の煩雑な動作が不要となり、ウィッグを頭部に装着するという動作とほぼ同一あるいは一連の動作のみで済み取扱いが簡易となる。
【００１１】
本発明の第二の補整機能付きウィッグは、自ウィッグが頭部に装着されると、ウィッグベース本体の第一の領域と第二の領域とを連結する弾性体が伸長して第一の領域と第二の領域との少なくともそれぞれの一部分を互いに離間する方向へ移動させ、弾性体の収縮力に基づく第一の領域と第二の領域との少なくともそれぞれの一部分が互いに近接する方向へ移動しようとする作用により、毛髪が牽引されることに伴い前記毛髪が生えている部分の皮膚が牽引されて、顔及び首を含む頭部のしわやたるみを補整する。
このような構成により、しわやたるみなどの補整専用のくし状固定具などを必要としなく、両方のこめかみ部分の自髪にくし状固定具を篏合させて固定して毛髪を牽引する方法であり、長時間の使用により牽引されているくし状固定具が篏合されている毛髪の毛根部に痛みや不快感を覚えることから解放され、快適な使用が実現される。また、利用者はウィッグを頭部に装着するという動作に加えてまったく別個の煩雑な動作が不要となり、ウィッグを頭部に装着するという動作とほぼ同一あるいは一連の動作のみで済み取扱いが簡易となる。
【００１２】
本発明の第三の補整機能付きウィッグは、自ウィッグが頭部に装着されると、ウィッグベース本体の所定の領域を形成する弾性体が伸長した状態となり、弾性体の収縮力に基づき、毛髪が牽引されることに伴い前記毛髪が生えている部分の皮膚が牽引されて、顔及び首を含む頭部のしわやたるみを補整する。
このような構成により、しわやたるみなどの補整専用のくし状固定具などを必要としなく、両方のこめかみ部分の自髪にくし状固定具を篏合させて固定して毛髪を牽引する方法であり、長時間の使用により牽引されているくし状固定具が篏合されている毛髪の毛根部に痛みや不快感を覚えることから解放され、快適な使用が実現される。また、利用者はウィッグを頭部に装着するという動作に加えてまったく別個の煩雑な動作が不要となり取扱いの便宜が図られる。
【発明の効果】
【００１３】
本発明によれば、しわやたるみなどの補整専用のくし状固定具などを必要としなく、取扱いが簡易な補整機能付きウィッグを提供することができる。
【図面の簡単な説明】
【００１４】
【図１】本発明の第一の実施の形態におけるウィッグ（全頭用）を装着した状態を示す図である。
【図２】本発明の第一の実施の形態におけるウィッグ（全頭用）のウィッグベースの構成・伸縮方向の一例を示す斜視図である
【図３】本発明の第一の実施の形態におけるウィッグ（全頭用）のウィッグベースの変形例を示す平面図である
【図４】本発明の第二の実施の形態におけるウィッグ（部分用）を装着した状態を示す図である。
【図５】本発明の第二の実施の形態におけるウィッグ（部分用）のウィッグベースの構成・伸縮方向の一例を示す斜視図である
【発明を実施するための形態】
【００１５】
以下、本発明の第一の実施の形態を図面を参照しつつ説明する。
【００１６】
図１に示す本実施形態における補整機能付きウィッグ（全頭用）１０は、使用者の頭部全体に装着されるウィッグベース１１と、ウィッグベース１１に結着（毛植え）される人毛や人工毛の毛髪群１２とを備えている。
【００１７】
図１及び図２に示すように、ウィッグベース１１は、頭部前側の髪の生え際から左右の耳の上部の頭部両横側を経て、頭部後側の襟足に至る頭部全体をカバーする形状に形成されている。
【００１８】
図２に示すように、ウィッグベース１１は、大きく分けて、頭部前側を覆う非伸縮性ネット１４と、頭部後側を覆う非伸縮性ネット１５と、連結部１６と、ゴム１７から構成されている。基本的には、非伸縮性ネット１４と非伸縮性ネット１５の形状により頭部に対して満足のいく十分なフィット感が得られ、容易にずれることがないようにフィットしつつ、毛髪群１２と相俟って所望のヘアスタイルを容易に実現することができるものである。なお、頭部前側を覆う非伸縮性ネット１４と、頭部後側を覆う非伸縮性ネット１５は、製造の便宜やフィット感の向上などから、図２に示すように適宜の領域に分割されたものが一体に合わされて実現されてもよい。
ウィッグベース１１の非伸縮性ネット１４と非伸縮性ネット１５を連結する帯状の伸縮性ネットからなる連結部１６を、左右の耳の上部を頭頂部を経て結んだライン上に設けている。
ウィッグベース１１の非伸縮性ネット１４を連結部１６の一側に縫着などにより接合し、非伸縮性ネット１５を連結部１６の他側に縫着などにより接合している。すなわち、従来のウィッグベースを頭部の前後で分割してその間を埋める部材を設けた態様である。
【００１９】
非伸縮性ネット１４と非伸縮性ネット１５は、例えば合成樹脂製の繊維素材からなる、所定のメッシュの網目を持つネット等である。また、非伸縮性ネット１４の生え際近傍や非伸縮性ネット１５の襟足近傍には、ウィッグベース１１が装着中にずれることを防止するためにポリウレタン樹脂溶液などが塗布されていてもよい。
また、非伸縮性ネット１４には、頭部前側の生え際を覆う周縁部（頭部接触面側）に、所定の厚み・幅寸法の滑り止め部材２０が適宜の長さで設けられている。同様に伸縮性ネット１５にも、襟足を覆う周縁部（頭部接触面側）に、所定の厚み・幅寸法の滑り止め部材２０が適宜の長さで設けられている。さらに、このような滑り止め部材２０が非伸縮性ネット１５と連結部１６が接合する周縁部（頭部接触面側）に設けられている。また、非伸縮性ネット１４と連結部１６が接合する周縁部（頭部接触面側）にも設けられていてもよい。なお、これらの滑り止め部材は本実施形態の補整機能付きウィッグ１０に必須の構成部材ではない。
滑り止め部材２０は、合成樹脂溶液を人工皮膚としてシート状に塗布可能なものであったり、櫛歯状のかえしが設けられているものであったり、公知の種々の構成が適用されてよい。補整機能付きウィッグ１０の装着時に、滑り止め部材２０が使用者の頭皮や毛髪と接することで補整機能付きウィッグ１０のめくれ防止の役割を兼ねていてもよい。
さらに、Ｎｉ−Ｔｉ合金等の形状記憶合金や銅合金・ステンレス合金等を板状にしたものを帯状布で包み、非伸縮性ネット１４の生え際近傍や非伸縮性ネット１５の襟足近傍・揉み上げ近傍などの位置に縫着して形状保持部材として用いることであってもよい。
【００２０】
また、伸縮性ネットからなる連結部１６は、柔軟性及び伸縮性を有する合成樹脂製の繊維素材などで形成される。伸長率の異なるポリマー融合させて得るポリエステル弾性糸のようなポリエステルなどの一般的なウィッグベースに使用される繊維を編んだものであってもよい。所定のメッシュの網目を持つネット等であり、縦及び横方向の伸長率は本発明の効果を奏する限り適宜の範囲であってよい。
【００２１】
非伸縮性ネット１４・非伸縮性ネット１５と伸縮性ネットからなる連結部１６は、縫着部分の強度や美感を考慮して、例えば並縫いや千鳥縫いなどにより縫着されていてよいが接合方法は問わない。
【００２２】
連結部１６の幅（頭部の前後方向）はここでは約１．５ｃｍ（伸長時は約３ｃｍ）とするが本発明の効果を奏する限り適宜の幅としてよい。幅は必ずしも全幅にわたり一定であることを必要としない。
【００２３】
弾性体としてのゴム１７（ここでは複数のゴムバンドからなる）が非伸縮性ネット１４と非伸縮性ネット１５にわたって架け渡されるように縫着されており、非伸縮性ネット１４と非伸縮性ネット１５を連結する。ゴム１７の弾性力を用いて連結されている非伸縮性ネット１４と非伸縮性ネット１５を相互に引っ張り近接させる。これにより、伸縮性ネットからなる連結部１６と相俟って、さらなる伸縮効果が望める。
ゴム１７を構成する個々のゴムバンドは、長さ約１．５ｃｍで幅約５ｍｍで厚み寸法約１ｍｍの帯状の弾性体である。ここではゴム１７の収縮力は、連結部１６の伸縮性ネットよりも大きいものとするが必ずしも限定されない。
【００２４】
図２に、上記のように構成されたウィッグベース１１の各構成部材の伸縮方向を図中に記載した矢印を用いて示した。なお、白抜き矢印が伸長方向であり、黒塗り矢印が伸縮方向である。
【００２５】
次に、本実施形態の補整機能付きウィッグ（全頭用）１０の使用方法について説明する。
【００２６】
まず、使用者は補整機能付きウィッグ１０を手にとり、ウィッグベース１１の非伸縮性ネット１４と非伸縮性ネット１５とを連結する、伸縮性ネットからなる連結部１６やゴム１７が伸長して、非伸縮性ネット１４と非伸縮性ネット１５を互いに離間する方向へ移動させるように、頭部に装着する。すなわち、連結部１６やゴム１７の弾性収縮力に抗して非伸縮性ネット１４と非伸縮性ネット１５をそれぞれ引っ張った状態で前頭部、後頭部、あるいは側頭部付近の毛髪ないし頭皮などに固定する。
なお、周知の全頭用ウィッグベースのように、ウィッグベースの頭部への装着力が増加し、装着ずれを防止し、フィット感が向上するような種々の構成が適用されてよいのでウィッグ自体に頭部へのフィット感が十分にある。
【００２７】
装着された補整機能付きウィッグ１０は、伸長された伸縮性ネットからなる連結部１６やゴム１７の収縮力に基づく非伸縮性ネット１４と非伸縮性ネット１５が互いに近接する方向へ移動しようとする作用により、前頭部、後頭部、あるいは側頭部付近の毛髪が牽引されると、これに伴い毛髪が生えている該当部分の皮膚が牽引（上方向のみでなく後ろ方向へ引っ張ることも含む。）されて、皮膚が伸ばされ、顔及び首を含む前記頭部のしわやたるみを伸ばして補整する。したがって補整機能付きウィッグ１０を装着している間、しわやたるみの少ない美顔を保つことができる。また、目や眉毛をつり上げたり、つり下げたりすることによるメイクアップ効果も奏することもできる。
特に、目尻周辺部だけでなく、頭部全体、特に口角周辺のしわやたるみ、額のしわ、顎から首にかけてのたるみ全体を補整することができる。
また、長時間の使用でも痛みや不快感を覚えることがなく、周囲の看者に器具を使用してフェイスリフトを行っていることが判明してしまうこともない。
【００２８】
なお、目じりのしわやたるみは、年齢を周囲の看者に感じさせ易いため、揉み上げ近傍のこめかみ部分をリフトアップすることは必要性や効果が高い。頭部の左右のこめかみ部分に近い毛髪が引き寄せられ、これによって顔の皮膚のたるみがリフトアップされて目尻や目隈、口角付近のしわ等が矯正されてなくなる。
【００２９】
図３に本実施形態の補整機能付きウィッグ（全頭用）１０の変形例を示す。特にウィッグベース１１（頭頂部の上方から視た図）に設けられる弾性体が種々の態様となり異なる。
【００３０】
図３（ａ）に示すように、伸縮性ネットからなる連結部１６を、前頭部と後頭部の中央を頭頂部を経て結んだライン上に設けてもよい。
図３（ｂ）に示すように、伸縮性ネットからなる連結部１６を、斜めのライン上に、短い長さで複数、追加して設けてもよい。
図３（ｃ）に示すように、伸縮性ネットからなる連結部１６のみでゴム１７を省いた構成であってもよい。なお、非伸縮性ネット１４や非伸縮性ネット１５に相当する領域がすべて伸縮性ネットからなる連結部１６で形成されていてもよい。
ゴム１７のみで伸縮性ネットからなる連結部１６を省いた構成であってもよい。なお、連結部１６が弾性体でない材質（広義には何もない構成も含む）で形成されていてもよい。
【００３１】
上記の変形例はそれぞれ変形のバリエーションが適宜組み合わされてもよく、各構成部材の大きさ・数・材質・位置などは適宜変更可能である。例えば、非伸縮性ネット１４と非伸縮性ネット１５は一部が重なる態様であってもよい。
【００３２】
また、ウィッグベース１１本体とは、ウィッグベース１１が付加部品等を備えていても実質的にウィッグベースと一体である場合には、それら全体のことをいう。また実質的にウィッグベースと一体でなくてもウィッグの構成要素として大きく毛髪群とウィッグベースに分けたときにウィッグベースの概念に含まれるものもあり得る。
【００３３】
以下、本発明の第二の実施の形態を図面を参照しつつ説明する。
【００３４】
図４に示す本実施形態における補整機能付きウィッグ（部分用）３０は、使用者の頭部の一部に装着されるウィッグベース３１と、ウィッグベース３１に結着（毛植え）される人毛や人工毛の毛髪群３２とを備えている。
【００３５】
図４及び図５に示すように、ウィッグベース３１は、頭頂部周縁部及び左右の耳の上部の頭部両横側をカバーする形状に形成されている。
【００３６】
図４に示すように、ウィッグベース３１は、大きく分けて、頭頂部周縁部前側及び左右の耳の上部の頭部両横側を覆う非伸縮性ネット３４と、頭頂部周縁部後側及び左右の耳の上部の頭部両横側を覆う非伸縮性ネット３５と、連結部３６と、ゴム３７から構成されている。基本的には、非伸縮性ネット３４と非伸縮性ネット３５の形状により頭部に対して満足のいく十分なフィット感が得られ、容易にずれることがないようにフィットしつつ、毛髪群３２と相俟って所望のヘアスタイルを容易に実現することができるものである。なお、非伸縮性ネット３４と、非伸縮性ネット３５は、製造の便宜やフィット感の向上などから、適宜の領域に分割されたものが一体に合わされて実現されてもよい。
ウィッグベース３１の非伸縮性ネット３４と非伸縮性ネット３５を連結する帯状の伸縮性ネットからなる連結部３６を、左右の耳の上部を頭頂部を経て結んだライン上に設けている。
ウィッグベース３１の非伸縮性ネット３４を連結部３６の一側に縫着などにより接合し、非伸縮性ネット３５を連結部３６の他側に縫着などにより接合している。
【００３７】
以下、基本的な構成要素は上記の第一の実施形態と同様であるので重複する記載は省略する。
また、上記の図３における変形例も本実施形態に適用可能である態様は同様に変形例となる。
【００３８】
その他、一々例示はしないが、本発明は、その趣旨を逸脱しない範囲内において、種々の変更が加えられて実施されてよい。
【符号の説明】
【００３９】
１０、３０                補整機能付きウィッグ
１１、３１                ウィッグベース
１２、３２                毛髪群
１４、１５、３４、３５    非伸縮性ネット
１６、３６                連結部
１７、３７                ゴム
２０、４０                滑り止め部材
【要約】
【課題】しわやたるみなどの補整専用のくし状固定具などを必要としなく、取扱いが簡易な補整機能付きウィッグを提供すること。
【解決手段】自ウィッグが頭部に装着されると、ウィッグベースの第一の領域と第二の領域とを連結する弾性体が伸長して前記第一の領域と前記第二の領域との少なくともそれぞれの一部分を互いに離間する方向へ移動させ、前記弾性体の収縮力に基づく前記第一の領域と前記第二の領域との少なくともそれぞれの一部分が互いに近接する方向へ移動しようとする作用により顔及び首を含む前記頭部のしわやたるみを補整する補整機能付きウィッグ。
【選択図】図２【図１】
0005449609.tif 000002
【図２】
0005449609.tif 000003
【図３】
0005449609.tif 000004
【図４】
0005449609.tif 000005
【図５】
0005449609.tif 000006